(57)【要約】本発明は、とくにエスカレータまたは動く歩道の移動部品の加熱装置に関し、この装置は少なくとも１つの加熱要素(2)を含む。この要素から出てくる熱風は各移動部品に実質的に正確な方法で向けられる。
2005516873.tif 000002
【特許請求の範囲】
【請求項１】
エスカレータ(1)または動く歩道のとくに移動部品(4, 15, 16)の加熱装置であって、該装置は少なくとも１つの加熱要素(2)を含み、該要素から出てくる熱風が各移動部品(4, 15, 16)の方へ実質的に正確な方法で向けられることを特徴とする加熱装置。
【請求項２】
請求項１に記載の装置において、前記加熱要素(2)は、前記エスカレータ(1)または動く歩道の手すり３内に、とくに旋回する方法で配置され、そこに設けられた手すり(15)の方へ向けられることを特徴とする装置。
【請求項３】
請求項１または２に記載の装置において、前記加熱要素(2)は、前記エスカレータ(1)または動く歩道の手すりヘッドの１つの領域に配置されることを特徴とする装置。
【請求項４】
請求項１から３までのいずれかに記載の装置において、前記加熱要素(2)からの熱風の流れは、前記手すり(15)の戻りストランド(14)の方へ、とくにその移動の方向に向けられることを特徴とする装置。
【請求項５】
請求項１に記載の装置において、ステップまたはパレットバンド(4)内の前記加熱要素(2)は、とくに旋回する方法で、前記エスカレータ(1)または動く歩道のフレーム部品(7)に固定されることを特徴とする装置。
【請求項６】
請求項１に記載の装置において、前記加熱要素(2)は、とくに旋回する方法で、前記エスカレータ(1)または動く歩道の保守領域(5)の領域に配置されることを特徴とする装置。
【請求項７】
請求項５または６に記載の装置において、前記加熱要素(2)から出てくる熱風は、前記エスカレータ(1)または動く歩道のステップまたはパレット入口(16)の方へ向けられることを特徴とする装置。
【請求項８】
請求項１から７までのいずれかに記載の装置において、前記各加熱要素(2)はレジスタ加熱により形成され、該レジスタ加熱は軸流ファン(8)からなり、該軸流ファンは、所定の動力を有する下流加熱カートリッジ(10)を有することを特徴とする装置。
【請求項９】
請求項１から８までのいずれかに記載の装置において、前記各加熱要素(2)は、柔軟な保持具（12）により、加熱すべき各領域に対して適応可能な、とくに旋回する方法で配置されることを特徴とする装置。
【請求項１０】
請求項１から９までのいずれかに記載の装置において、前記各加熱要素(2)は温度センサを含み、該センサにより該各加熱要素(2)は、不調なときにスイッチを切られることが可能であることを特徴とする装置。
【請求項１１】
請求項１から10までのいずれかに記載の装置において、前記各加熱要素(2)は流れセンサを含み、該センサにより該各加熱要素(2)は、不調なときにスイッチを切られることが可能であることを特徴とする装置。
【発明の詳細な説明】
【詳細な説明】
【０００１】
本発明は、とくにエスカレータまたは動く歩道の移動部品を加熱する装置に関するものである。
【０００２】
エスカレータまたは動く歩道を加熱するために、通常、ファンレジスタの形の中央ファン加熱を設けている。中央ファン加熱は、とくにステップまたはパレットバンドの間に置かれ、中央ファン加熱から、そこで生成された熱風がホースを通して、エスカレータまたは動く歩道の対応する場所へ案内される。このとき、危険にさらされた場所（手すり、ステップ、パレットバンド、クシ板、または同様の物）へと案内される取り付けた複数のホースが大きな熱損失を引き起こすという欠点がある。そのため、中央ファン加熱の効率は最低限にまで低下する。さらに、このシステムは、入手および取付の点および維持の点の両方において、高価である。とくに、より低い温度では、エスカレータまたは動く歩道は、集中加熱にもかかわらずもはや正しく動作しないことがありうる。さらに、中央ファン加熱の大きさのために、比較的狭い手すり領域では、とくに小さい構造の手すりを有する領域ではこれを使用することができない。
【０００３】
したがって、本発明の目的は、とくにエスカレータまたは動く歩道の移動部品を加熱する装置を提供することであり、この装置は、もはや従来技術の欠点を有さず、入手、取付および維持のコストが低く、しかし効率はより高いことである。
【０００４】
この目的は、加熱要素を含みこの要素から出てくる熱風が各部品に実質的に正確な方法で向けられるとくにエスカレータまたは動く歩道の移動部品を加熱する装置によって達成される。
【０００５】
本発明の対象の有利な実施例は、関連する下位の請求項に開示される。
【０００６】
レジスタ加熱を用いることが好ましく、レジスタ加熱は、所定の動力（たとえば1000W）の下流加熱カートリッジを有するラジアルファンまたは軸流ファンからなる。このユニットの大きさは小さいため、手すり内に取り付けることも可能になる。さらに、本発明の装置をエスカレータまたは動く歩道のステップバンドまたは保守領域内に設けることも可能になる。このようにユニットの取付けが簡単になり、またサイズが小さくなるため、手すり、ステップ／パレットバンド、クシ板もしくは同様なものを加熱する柔軟で正確な機器が可能になる。
【０００７】
場所に直接設けられるこの装置により、従来技術で生じていた熱損失は最低限にまで低下する。
【０００８】
各加熱要素を柔軟に収容するため、正確に整列することができ、とくにエスカレータまたは動く歩道の霜および湿気により危険にさらされる移動部品を加熱することができる。
【０００９】
最先端の技術水準と比較して、本発明の装置を使用することにより、エスカレータまたは動く歩道の機能的な安全性をかなり高められる。
【００１０】
温度センサは、ファンが故障したときの危険な状態を避けるために、各加熱カートリッジの最大カートリッジ温度を監視する。ファンの出口の前に取り付ける流れ制御ユニットはさらに、ファンの機能を監視し、ファンが機能していないときはシステムのスイッチを切る。加熱カートリッジ内に追加的に取り付けられる接点により、故障メッセージの伝送が可能になる。
【００１１】
本発明の対象を、好適な実施例により図に示し、以下に説明する。
【００１２】
図１は、いくつかの装置２（加熱要素）を示し、装置２は、特別な部品を加熱するためにエスカレータのさまざまな場所に配置される。いくつかの装置２は、手すり３領域に設けられ、他の装置２はそれぞれ、循環するステップバンド４の間、またはエスカレータ１の保守領域５に設けられる。各装置２は、各装置２の旋回する動きが可能なように、柔軟な保持具６によってエスカレータ１の対応する部品７に固定される。したがって、生成された熱風を、加熱すべき領域に大きなエネルギー損失なしに直接案内できるように、各装置２を正確に整列することが可能である。
【００１３】
手すり３内に配置された装置２は、手すり15の戻りストランド14の方へ向けられる。ステップバンド４の間に配置された装置２は、上側ステップバンド４の下部の方へ向けられ、保守領域５に配置された装置２は、ステップバンド４の入口領域16の方へ向けられる。
【００１４】
図２は、装置２の主要な構造を示す。ファン8が示され、ファン8は、ラジアルファンとして構成され、電源11および柔軟な保持具12を含む加熱カートリッジと、電源９とを含む。装置２の旋回する領域は細長い穴13によって決まる。
【図面の簡単な説明】
【００１５】
【図１】図１は、エスカレータのさまざまな領域における加熱装置の配置の概略図である。
【図２】図２は、図１による加熱装置の主要な構造を示す。
【図１】
2005516873.tif 000003
【図２】
2005516873.tif 000004
【手続補正書】
【提出日】平成15年9月18日(2003.9.18)
【手続補正１】
【補正対象書類名】特許請求の範囲
【補正対象項目名】全文
【補正方法】変更
【補正の内容】
【特許請求の範囲】
【請求項１】
エスカレータ(1)または動く歩道のとくに移動部品(4, 15, 16)の加熱装置であって、該装置は少なくとも１つの加熱要素(2)を含み、該要素から出てくる熱風が各部品(4, 15, 16)の方へ向けられる装置において、各加熱要素は、旋回する方法で、手すり内において、および／または、ステップまたはパレットバンド内においてエスカレータまたは動く歩道のハウジング部品に固定され、各加熱要素は各手すり、および／または、ステップまたはパレットバンドの方へ向けられることを特徴とする加熱装置。
【請求項２】
請求項１に記載の装置において、前記加熱要素(2)は、前記エスカレータ(1)または動く歩道の手すりヘッドの１つの領域に配置されることを特徴とする装置。
【請求項３】
請求項１または２に記載の装置において、前記加熱要素(2)からの熱風の流れは、前記手すり(15)の戻りストランド(14)の方へ、とくにその移動の方向に向けられることを特徴とする装置。
【請求項４】
請求項１から３までのいずれかに記載の装置において、前記加熱要素(2)から出てくる熱風は、前記エスカレータ(1)または動く歩道のステップまたはパレット入口(16)の方へ向けられることを特徴とする装置。
【請求項５】
請求項１から４までのいずれかに記載の装置において、前記各加熱要素(2)はレジスタ加熱により形成され、該レジスタ加熱は軸流ファン(8)からなり、該軸流ファンは、所定の動力を有する下流加熱カートリッジ(10)を有し、前記各加熱要素(2)は、柔軟な保持具（12）により、加熱すべき各領域に対して適応可能な、とくに旋回する方法で配置されることを特徴とする装置。
【請求項６】
請求項１から５までのいずれかに記載の装置において、前記各加熱要素(2)は温度センサを含み、該センサにより該各加熱要素(2)は、不調なときにスイッチを切られることが可能であることを特徴とする装置。
【請求項７】
請求項１から６までのいずれかに記載の装置において、前記各加熱要素(2)は流れセンサを含み、該センサにより該各加熱要素(2)は、不調なときにスイッチを切られることが可能であることを特徴とする装置。
【手続補正２】
【補正対象書類名】明細書
【補正対象項目名】全文
【補正方法】変更
【補正の内容】
【発明の詳細な説明】
【詳細な説明】
【０００１】
本発明は、請求項１の前段に従ったとくにエスカレータまたは動く歩道の移動部品を加熱する装置に関するものである。
【０００２】
エスカレータまたは動く歩道を加熱するために、通常、ファンレジスタの形の中央ファン加熱を設けている。中央ファン加熱は、とくにステップまたはパレットバンドの間に置かれ、中央ファン加熱から、そこで生成された熱風がホースを通して、エスカレータまたは動く歩道の対応する場所へ案内される。このとき、危険にさらされた場所（手すり、ステップ、パレットバンド、クシ板、または同様の物）へと案内される取り付けた複数のホースが大きな熱損失を引き起こすという欠点がある。そのため、中央ファン加熱の効率は最低限にまで低下する。さらに、このシステムは、入手および取付の点および維持の点の両方において、高価である。とくに、より低い温度では、エスカレータまたは動く歩道は、集中加熱にもかかわらずもはや正しく動作しないことがありうる。さらに、中央ファン加熱の大きさのために、比較的狭い手すり領域では、とくに小さい構造の手すりを有する領域ではこれを使用することができない。
【０００３】
英国特許公告第1,109,976号により、加熱装置を有するエスカレータが知られており、この加熱装置はエスカレータの接近可能な部品の領域に配置されている。加熱装置はエスカレータの保守空間に設けられており、加熱装置は、いくつかの熱風の流れをクシ板およびステップバンドの両方に導き、後者の場合、支流の導管が必要である。この手段は、取付けにかなりの努力を要し、同時に、通気管の長さに応じて、元々の加熱された空気は、連続した熱損失を受けやすい。
【０００４】
特開平02-231391号公報には、手すりを加熱する装置が記載されている。湿気がある場合、センサによりそれは検知される。手すりの内面に固定的に向けられ、かつ湿気の検知後始動させられる手すり用乾燥装置が手すりの戻りストランドに配置されている。
【０００５】
本発明の目的は、とくにエスカレータまたは動く歩道の移動部品を加熱する装置を提供することであり、この装置は、加熱された空気が長い流れ距離を進む必要がなく、入手、取付および維持のコストが低く、しかし効率はより高いことである。既にある装置に取り付けることも可能である。
【０００６】
この目的は、各加熱要素を、旋回する方法で、手すり内において、および／または、ステップまたはパレットバンド内においてエスカレータまたは動く歩道のハウジング部品に固定し、各加熱要素を各手すり、および／または、ステップまたはパレットバンドの方へ向けることによって達成される。
【０００７】
本発明の対象の有利な実施例は、関連する下位の請求項に開示される。
【０００８】
レジスタ加熱を用いることが好ましく、レジスタ加熱は、所定の動力（たとえば1000W）の下流加熱カートリッジを有するラジアルファンまたは軸流ファンからなる。このユニットの大きさは小さいため、手すり内に取り付けることも可能になる。さらに、本発明の装置をエスカレータまたは動く歩道のステップバンドまたは保守領域内に設けることも可能になる。このようにユニットの取付けが簡単になり、またサイズが小さくなるため、手すり、ステップ／パレットバンド、クシ板もしくは同様なものを加熱する柔軟で正確な機器が可能になる。
【０００９】
場所に直接設けられるこの装置により、従来技術で生じていた熱損失は最低限にまで低下する。
【００１０】
各加熱要素を柔軟に収容するため、正確に整列することができ、とくにエスカレータまたは動く歩道の霜および湿気により危険にさらされる移動部品を加熱することができる。
【００１１】
最先端の技術水準と比較して、本発明の装置を使用することにより、エスカレータまたは動く歩道の機能的な安全性をかなり高められる。
【００１２】
温度センサは、ファンが故障したときの危険な状態を避けるために、各加熱カートリッジの最大カートリッジ温度を監視する。ファンの出口の前に取り付ける流れ制御ユニットはさらに、ファンの機能を監視し、ファンが機能していないときはシステムのスイッチを切る。加熱カートリッジ内に追加的に取り付けられる接点により、故障メッセージの伝送が可能になる。
【００１３】
本発明の対象を、好適な実施例により図に示し、以下に説明する。
【００１４】
図１は、いくつかの装置２（加熱要素）を示し、装置２は、特別な部品を加熱するためにエスカレータのさまざまな場所に配置される。いくつかの装置２は、手すり３領域に設けられ、他の装置２はそれぞれ、循環するステップバンド４の間、またはエスカレータ１の保守領域５に設けられる。各装置２は、各装置２の旋回する動きが可能なように、柔軟な保持具６によってエスカレータ１の対応する部品７に固定される。したがって、生成された熱風を、加熱すべき領域に大きなエネルギー損失なしに直接案内できるように、各装置２を正確に整列することが可能である。
【００１５】
手すり３内に配置された装置２は、手すり15の戻りストランド14の方へ向けられる。ステップバンド４の間に配置された装置２は、上側ステップバンド４の下部の方へ向けられ、保守領域５に配置された装置２は、ステップバンド４の入口領域16の方へ向けられる。
【００１６】
図２は、装置２の主要な構造を示す。ファン8が示され、ファン8は、ラジアルファンとして構成され、電源11および柔軟な保持具12を含む加熱カートリッジと、電源９とを含む。装置２の旋回する領域は細長い穴13によって決まる。
【図面の簡単な説明】
【００１７】
【図１】図１は、エスカレータのさまざまな領域における加熱装置の配置の概略図である。
【図２】図２は、図１による加熱装置の主要な構造を示す。
【国際調査報告】
2005516873.tif 000005
2005516873.tif 000006
2005516873.tif 000007
2005516873.tif 000008